(57)【要約】【課題】  １個の錠前の操作によるワンアクションにより両開き戸の施解錠を行うことができる開き戸のロック装置を得る。【解決手段】  両開き戸の自由端側に垂直軸まわりに回動可能に支持された略左右対称な２個のラッチ爪１７，１８を、キャビネット本体の框部に設けた係止部に係脱させるラッチ装置を備えたキャビネットにおいて、該ラッチ爪１７，１８のラッチ解除方向への移動を規制する当止部２４ａ，２４ａを備えたロック体２１を、前記開き戸に設けた錠前３１の操作に連動させて上下動させることにより、両開き戸の施解錠を一括して行う。【選択図】        図５
2006283492.tif 000002
【特許請求の範囲】
【請求項１】
開き戸の自由端側に垂直軸まわりに回動可能に支持されたラッチ爪を、キャビネット本体の框部に設けた係止部に係脱させるラッチ装置を備えたキャビネットにおいて、
前記ラッチ爪のラッチ解除方向への移動を規制する当止部を備えたロック体を、前記開き戸又はキャビネット本体に設けた錠前の操作に連動させて上下動させてなる開き戸のロック装置。
【請求項２】
前記ロック体が、両開き戸の自由端側に垂直軸まわりに回動可能に支持された左右２個のラッチ爪のラッチ解除方向への移動を一括して規制する左右の当止部を備えたものである請求項１記載の開き戸のロック装置。
【請求項３】
前記ロック体が、後端部を前記キャビネット本体により支持され、上下方向に回動可能な自由端である前端部に前記当止部を備えたものである請求項１又は２記載の開き戸のロック装置。
【請求項４】
前記ロック体が、後端部を前記キャビネット本体の天板により支持され、上下方向に回動可能な自由端である前端部を下方に折り曲げてなる側面視略Ｌ字状の左右方向に延びる板体であって、該折曲部に左右の当止部を設けてなり、
前記錠前の操作により操作片を上方に突出させて該ロック体の前端部を押し上げ、前記左右２個のラッチ爪を該左右の当止部に当止してなる請求項２記載の開き戸のロック装置。
【請求項５】
前記ロック体が、後端部を前記キャビネット本体の底板により支持され、上下方向に回動可能な自由端である前端部を上方に折り曲げてなる側面視略Ｌ字状の左右方向に延びる板体であって、該折曲部に左右の当止部を設けてなり、
該ロック体を、上方への付勢手段により上下方向の回動可能範囲の上方に位置させ、
前記錠前の操作により操作片を下方に突出させて該ロック体の前端部を前記付勢手段による付勢力に抗して押し下げ、前記左右２個のラッチ爪を該左右の当止部に当止してなる請求項２記載の開き戸のロック装置。
【発明の詳細な説明】
【技術分野】
【０００１】
本発明は、収納庫等の各種キャビネットにおける開き戸のロック装置に関するものである。
【背景技術】
【０００２】
開き戸の自由端側の上下に延び、上下軸まわりに回動自在に支持されてなるラッチ連結軸の上下端に設けたラッチ爪を、キャビネット本体の框部に設けた係止部に係脱させるラッチ装置を備えたキャビネットにおける開き戸のロック装置において、前記キャビネット本体の框部に、シリンダー錠と、このシリンダー錠の操作に連動して左右動する作動杆と、前記シリンダー錠の施錠操作時の前記作動杆の移動により前記ラッチ爪のラッチ解除方向面に当接するストッパとを設けたものがある（例えば、特許文献１参照。）。
【０００３】
【特許文献１】特開平８−２６６３４８号公報（図１−５）
【発明の開示】
【発明が解決しようとする課題】
【０００４】
以上のような従来の開き戸のロック装置は、片開き戸内の前記ラッチ連結軸を介さずにラッチ爪を直接に施錠操作するので、比較的簡単な構成で確実に作動させることができること等の効果を奏するものである。しかし、両開き戸に適用する場合には、左右の開き戸に対して同様のロック装置を個別に設ける必要があり、１個のシリンダー錠の操作によるワンアクションにより左右の開き戸の施解錠を行うことはできないものである。したがって、該施解錠の手間がかかること及びコストが嵩むこと等の問題点がある。
【０００５】
本発明は、前記のような問題点を解決するためになされたものであり、両開き戸に適用する場合においても、１個のシリンダー錠等の錠前の操作によるワンアクションにより左右の開き戸の施解錠を行うことができると共にコスト低減化を図ることができる開き戸のロック装置を得ることを目的とする。
【課題を解決するための手段】
【０００６】
本発明に係る開き戸のロック装置は、前記課題解決のために、開き戸の自由端側に垂直軸まわりに回動可能に支持されたラッチ爪を、キャビネット本体の框部に設けた係止部に係脱させるラッチ装置を備えたキャビネットにおいて、前記ラッチ爪のラッチ解除方向への移動を規制する当止部を備えたロック体を、前記開き戸又はキャビネット本体に設けた錠前の操作に連動させて上下動させてなるものである。
【０００７】
ここで、前記ロック体が、両開き戸の自由端側に垂直軸まわりに回動可能に支持された左右２個のラッチ爪のラッチ解除方向への移動を一括して規制する左右の当止部を備えたものであると好ましい。
【０００８】
また、前記ロック体が、後端部を前記キャビネット本体により支持され、上下方向に回動可能な自由端である前端部に前記当止部を備えたものであると好ましい。
【０００９】
さらに、前記ロック体が、後端部を前記キャビネット本体の天板により支持され、上下方向に回動可能な自由端である前端部を下方に折り曲げてなる側面視略Ｌ字状の左右方向に延びる板体であって、該折曲部に左右の当止部を設けてなり、前記錠前の操作により操作片を上方に突出させて該ロック体の前端部を押し上げ、前記左右２個のラッチ爪を該左右の当止部に当止してなると好ましい。
【００１０】
さらにまた、前記ロック体が、後端部を前記キャビネット本体の底板により支持され、上下方向に回動可能な自由端である前端部を上方に折り曲げてなる側面視略Ｌ字状の左右方向に延びる板体であって、該折曲部に左右の当止部を設けてなり、該ロック体を、上方への付勢手段により上下方向の回動可能範囲の上方に位置させ、前記錠前の操作により操作片を下方に突出させて該ロック体の前端部を前記付勢手段による付勢力に抗して押し下げ、前記左右２個のラッチ爪を該左右の当止部に当止してなると好ましい。
【発明の効果】
【００１１】
本発明に係る開き戸のロック装置によれば、開き戸の自由端側に垂直軸まわりに回動可能に支持されたラッチ爪を、キャビネット本体の框部に設けた係止部に係脱させるラッチ装置を備えたキャビネットにおいて、前記ラッチ爪のラッチ解除方向への移動を規制する当止部を備えたロック体を、前記開き戸又はキャビネット本体に設けた錠前の操作に連動させて上下動させてなるので、前記ラッチ爪のラッチ解除方向への移動を直接規制する簡素な構成により、コスト低減化を図ることができると共に該ロック装置の動作の長期にわたる信頼性を向上することができる。
【００１２】
また、前記ロック体が、両開き戸の自由端側に垂直軸まわりに回動可能に支持された左右２個のラッチ爪のラッチ解除方向への移動を一括して規制する左右の当止部を備えたものであると、錠前の操作によるワンアクションにより左右の開き戸の施解錠を一括して行うことができる。
【００１３】
さらに、前記ロック体が、後端部を前記キャビネット本体により支持され、上下方向に回動可能な自由端である前端部に前記当止部を備えたものであると、部品点数が少ない簡素な構成により、コスト低減化を図ることができる。
【００１４】
さらにまた、前記ロック体が、後端部を前記キャビネット本体の天板により支持され、上下方向に回動可能な自由端である前端部を下方に折り曲げてなる側面視略Ｌ字状の左右方向に延びる板体であって、該折曲部に左右の当止部を設けてなり、前記錠前の操作により操作片を上方に突出させて該ロック体の前端部を押し上げ、前記左右２個のラッチ爪を該左右の当止部に当止してなると、部品点数が少ないより簡素な構成により、さらにコスト低減化を図ることができる、下置きタイプの両開きキャビネットに適したロック装置を得ることができる。
【００１５】
また、前記ロック体が、後端部を前記キャビネット本体の底板により支持され、上下方向に回動可能な自由端である前端部を上方に折り曲げてなる側面視略Ｌ字状の左右方向に延びる板体であって、該折曲部に左右の当止部を設けてなり、該ロック体を、上方への付勢手段により上下方向の回動可能範囲の上方に位置させ、前記錠前の操作により操作片を下方に突出させて該ロック体の前端部を前記付勢手段による付勢力に抗して押し下げ、前記左右２個のラッチ爪を該左右の当止部に当止してなると、部品点数が少ないより簡素な構成により、さらにコスト低減化を図ることができる、上置きタイプの両開きキャビネットに適した両開き戸のロック装置を得ることができる。
【発明を実施するための最良の形態】
【００１６】
次に、本発明の実施の形態を添付図面に基づき詳細に説明するが、本発明は、添付図面に示された形態に限定されず特許請求の範囲に記載の要件を満たす実施形態の全てを含むものである。なお、本明細書においては、キャビネットの正面側（開口部側）を前、背面側を後とし、前方から見た左右を左右とする。また、開き戸については、該開き戸を閉じた状態で前記方向の定義を用いる。
【００１７】
実施の形態１．
図１は本発明の実施の形態１に係る開き戸のロック装置が用いられたキャビネットの正面図である。また、図２はロック装置まわりの横断平面図であり、図２（ａ）はラッチ爪のラッチ解除方向への移動を規制しないロック解除状態を、図２（ｂ）はラッチ爪のラッチ解除方向への移動を規制したロック状態を示している。さらに、図３はロック装置まわりの縦断右側面図であり、図３（ａ）は前記ロック解除状態を、図３（ｂ）は前記ロック状態を示している。さらにまた、図４及び図５はロック装置まわりの斜視図であり、図４は前記ロック解除状態を、図５は前記ロック状態を示している。また、図６は引手装置とラッチ装置との連動を示す説明図であり、図６（ａ）は正面図、図６（ｂ）は斜視図である。
【００１８】
図１に示すように、下置きタイプのキャビネット１０１は、正面側（前側）に開口部を有するキャビネット本体１及び該開口部を覆う左右の開き戸１１，１２等により構成される。左側の開き戸１１は、その左端の支持端１１ａが垂直軸まわりに回動可能にキャビネット本体１に取り付けられており、その右端の自由端１１ｂを前側に開くことができるものである。また、右側の開き戸１２は、その右端の支持端１２が垂直軸まわりに回動可能にキャビネット本体１に取り付けられており、その左端の自由端１２ｂを前側に開くことができるものである。このようにして、左右の開き戸１１，１２は、いわゆる観音開きの両開き戸を構成している。
【００１９】
図２に示すように、例えば合成樹脂製であり平面視略鉤状の略左右対称な２個のラッチ爪１７，１８は、例えば鋼製の角棒であるラッチ連結軸１５，１６の上下端部（図１参照。）に外嵌され、該ラッチ連結軸１５，１６と一体化される。該ラッチ爪１７，１８を垂直軸まわりに回動可能に支持する、例えば合成樹脂製のラッチ爪ケース１９，１９は、開き戸１１，１２の前面板に、例えば該前面板の裏側に形成された角穴に嵌めこまれて固定される。
【００２０】
そして、ラッチ爪１７，１８は、その爪部１７ａ，１８ａがキャビネット本体１の上框（框部）４に設けられた係止部４ａ，４ａに近づく方向に図示しないコイルばね等により弾性付勢される。なお、ラッチ爪１７，１８は、該ラッチ爪１７，１８の垂直軸まわりの回動が所定角度範囲内となるように、ラッチ解除規制部１７ｂ，１８ｂ及び突部１７ｃ，１８ｃが、ラッチ爪ケース１９，１９に当接する。
【００２１】
左右の開き戸１１，１２を閉じた状態（例えば、図２（ｂ）参照。）では、上側のラッチ爪１７，１８の爪部１７ａ，１８ａが、キャビネット本体１の上框（框部）４に設けられた係止部４ａ，４ａの後方に位置し、同様に、下側のラッチ爪１７，１８の爪部１７ａ，１８ａも、キャビネット本体１の下框（框部）に設けられた係止部の後方に位置する。したがって、該爪部と該係止部との係合により、開き戸１１，１２の自由端１１ｂ，１２ｂの前方への移動が規制される。そして、前記のとおり、ラッチ爪１７ａ，１７ｂには該係止部に近づく方向に弾性付勢力が作用しているため、開き戸１１，１２を閉じた状態が保持され、該開き戸１１，１２は不意に開くことはない。なお、キャビネット本体１の框部（上框及び下框）の係止部には、ラッチ爪１７，１８の損傷を防ぐため、例えば合成樹脂製のブシュが装着される。
【００２２】
次に、引手装置とラッチ装置との連動について、右側の開き戸１２を例として図６を用いて説明する。引手装置１４の引手１４ａを引くと、左右方向軸まわりに回動可能に開き戸１２に支持されている回動軸１４ｂが回動し、該回動軸１４ｂに取り付けられた駆動片１４ｃが図６（ｂ）の矢印Ａのように前方へ回動する。したがって、ラッチ連結軸１６に外嵌している被駆動片１６ａが前方へ押され、図６（ｂ）の矢印Ｂのように、前記弾性付勢力に抗してラッチ爪１８がラッチ解除方向へ回動し、例えば、図２（ａ）のようにラッチ爪１８の爪部１８ａが係止部４ａから外れるため、開き戸１８を前方へ開くことができるようになる。
【００２３】
ラッチ爪１７，１８には、前記のとおりの弾性付勢力が作用しており、開き戸１１，１２を開いた状態では、突部１７ｃ，１８ｃがラッチ爪ケース１９，１９に当接した状態となっている。この状態から、開き戸１１，１２を閉じると、ラッチ爪１７，１８の爪部１７ａ，１８ａ後部が平面視において傾斜面となっていることから、該傾斜面がキャビネット本体１の框部に設けられた係止部４ａ，４ａに当接する。
【００２４】
この状態からさらに開き戸１１，１２を閉じると、前記弾性付勢力に抗してラッチ爪１７，１８がラッチ解除方向へ回動する。そして、さらに開き戸１１，１２を閉じてラッチ爪１７，１８の前記傾斜面が係止部４ａ，４ａを越えると、前記弾性付勢力により、ラッチ爪１７，１８がラッチ解除方向と反対の方向へ回動するため、ラッチ爪１７，１８の爪部１７ａ，１８ａと該係止部４ａ，４ａとが係合し（図２（ｂ）参照。）、前記のとおり、開き戸１１，１２を閉じた状態が保持される。
【００２５】
錠前の例として示すシリンダー錠３１は、図１及び図２に示すように、右側の開き戸１２の自由端１２ｂ側に取り付けられているが、左側の開き戸１１の自由端１１ｂ側に取り付けてもよいし、キャビネット１０１の構成によっては、キャビネット本体１側に取り付けてもよい。シリンダー錠３１の鍵穴３２（図４〜図６参照。）に図示しないキーを挿入して回動させると、シリンダー錠３１後部に垂直方向にスライド可能に支持された操作片３３が上下動するように構成されている。なお、錠前としては、シリンダー錠以外の機械式の錠前を用いることもできるし、電気式の錠前等を用いてもよい。
【００２６】
図４〜図６に示す鍵穴３２に図示しないキーを挿入して回動させ、シリンダー錠３１を解錠した状態では、左側の開き戸１１の上部に設けられた引手装置１３の引手１３ａを引くと該開き戸１１のラッチ装置が解除状態となり、該開き戸１１を開けることができる。同様に、右側の開き戸１２の上部に設けられた引手装置１４の引手１４ａを引くと該開き戸１２のラッチ装置が解除状態となり、該開き戸１２を開けることができる。また、鍵穴３２に図示しないキーを挿入して回動させ、シリンダー錠３１を施錠した状態では、後述するように、該シリンダー錠３１の操作に連動するロック体２１によりラッチ爪１７，１８のラッチ解除方向への移動が規制されるため、左右の開き戸１１，１２を開けることができないロック状態となる。
【００２７】
次に、本発明の実施の形態１に係る開き戸のロック装置の構成及び動作について説明する。図２〜図５に示すように、ロック体２１は、その後端部がキャビネット本体１の天板２に支持されており、その前端部が上下方向に回動可能となっている。すなわち、天板２の例えば鋼板である側面視略波形の天板補強体６の後部の係合穴６ａ，６ａに、ロック体２１の後端部を上側に折り曲げ形成された係合突片２２，２２を係合させることにより、ロック体２１は天板２により上下方向に回動可能に支持される。
【００２８】
ロック体２１は、自由端である前端部２３を下方に折り曲げてなる側面視略Ｌ字状の左右方向に延びる板体であり、例えば鋼板の板金加工等により製作される。そして、前記前端部２３の折曲部の角部には左右２個の切欠き２４，２４が設けられている。また、ロック体２１は、天板補強体６の開口部６ｂを通って、前端部２３が天板補強体６の開口部６ｃ方向に略前方に延びている。さらに、ロック体２１の前端部２３には前方に延びる被駆動片２５が設けられている。
【００２９】
前記のとおり、シリンダー錠３１の鍵穴３２（図４〜図６参照。）に挿入されたキーの操作により例えば鋼板である操作片３３が上下動する。該操作片３３は前記ロック体２１の被駆動片２５の下側に位置しているため、前記キー操作により操作片３３が上方に突出すると、該被駆動片２５が下側から押され、該操作片３３に連動してロック体２１の前端部２３が上方へ押し上げられる（図２（ｂ）、図３（ｂ）及び図５参照。）。なお、ロック体２１に該被駆動片２５を設けずに、シリンダー錠３１の操作片３３に後方に延びる押板を設けて、該押板によりロック体２１を押し上げる構成としてもよい。また、操作片３３と被駆動部２５とが直接当接することよる衝突音を抑制するため、前記被駆動片２５には、例えば合成樹脂製のキャップ２５ａが装着される。
【００３０】
このようにキー操作によりロック体２１が上方に回動して前端部２３が押し上げられた状態（シリンダー錠３１を施錠した状態）では、ラッチ爪１７，１８の先端部がロック体２１の切欠き２４，２４に係合する。したがって、左側の開き戸１１のラッチ爪１７のラッチ解除規制部１７ｂの左側（ラッチ解除方向）には左側の切欠き２４の左側縁である当止部２４ａが位置し、右側の開き戸１２のラッチ爪１８のラッチ解除規制部１８ｂの右側（ラッチ解除方向）には右側の切欠き２４の右側縁である当止部２４ａが位置するため、該ラッチ解除規制部１７ｂ及び１８ｂが該当止部２４ａ，２４ａに当止される。よって、ラッチ爪１７，１８のラッチ解除方向への移動が規制される。このようにして、錠前の操作（錠前の例として示すシリンダー錠のキー操作）によるワンアクションで、左右の開き戸１１，１２を一括して施錠することができる。
【００３１】
また、キー操作によりシリンダー錠３１の操作片３３の上方への突出をなくした状態（シリンダー錠３１を解錠した状態）では、重力によりロック体２１が下方に回動して前端部２３が下方へ移動する（図２（ａ）、図３（ａ）及び図４参照。）。そうすると、前記切欠き２４，２４とラッチ爪１７，１８との係合が解かれるため、ラッチ爪１７，１８のラッチ解除方向への移動規制が解除される。したがって、錠前の操作（錠前の例として示すシリンダー錠のキー操作）によるワンアクションで、左右の開き戸１１，１２を一括して解錠することができる。
【００３２】
以上のような開き戸のロック装置の構成により、１個のシリンダー錠等の錠前の操作によるワンアクションにより左右の開き戸の施解錠を一括して行うことができる。また、ラッチ爪１７，１８のラッチ解除方向への移動の規制又は解除をロック体２１により直接行う構成であるため、該施解錠動作が安定かつ確実なものとなる。さらに、構成が非常に簡素であるため、コスト低減化を図ることができると共に該ロック装置の動作の長期にわたる信頼性を向上することができる。
【００３３】
実施の形態２．
図７は、本発明の実施の形態２に係る開き戸のロック装置が用いられたキャビネットの正面図、図８はロック装置まわりの底面図、図９はロック装置まわりの縦断右側面図であり、図９（ａ）はラッチ爪のラッチ解除方向への移動を規制しないロック解除状態を、図９（ｂ）はラッチ爪のラッチ解除方向への移動を規制したロック状態を示している。また、実施の形態１の図１〜図３と同一符号は同一又は相当部分を示している。
【００３４】
上置きタイプのキャビネット１０２における両開き戸１１，１２、引手装置１３，１４、ラッチ連結軸１５，１６、ラッチ爪１７，１８、及び、シリンダー錠３１等は、実施の形態１と同様の機能を有するものであるが、該キャビネット１０２は上置きタイプであるため、引手装置１３，１４、シリンダー錠３１、及び、ロック装置は底板３側に設けられている。
【００３５】
なお、実施の形態１と同様に、左右の開き戸１１，１２を閉じた状態では、上側のラッチ爪１７，１８の爪部１７ａ，１８ａとキャビネット本体１の上框（框部）４に設けられた係止部４ａ，４ａとが係合し（実施の形態１の図２及び図３参照。）、下側のラッチ爪１７，１８の爪部１７ａ，１８ａとキャビネット本体１の下框５（框部）に設けられた係止部５ａ，５ａとが係合する。
【００３６】
次に、本発明の実施の形態２に係る開き戸のロック装置の構成及び動作について説明する。図８及び図９に示すように、ロック体４１は、その後端部がキャビネット本体１の底板３に支持されており、その前端部が上下方向に回動可能となっている。すなわち、底板３の例えば鋼板である側面視略コ字形の底板補強体７の後部の係合穴７ａ，７ａに、ロック体４１の後端部を下側に折り曲げ形成された係合突片４２，４２を係合させることにより、ロック体４１は底板３により上下方向に回動可能に支持される。
【００３７】
ロック体４１は、自由端である前端部４３を上方に折り曲げてなる側面視略Ｌ字状の左右方向に延びる板体であり、例えば鋼板の板金加工等により製作される。そして、前記前端部４３の折曲部の角部には左右２個の切欠き４４，４４が設けられている。また、ロック体４１は、底板補強体７の開口部７ｂを通って、前端部４３が略前方に延びている。さらに、ロック体４１の前端部４３には前方に延びる被駆動片４５が設けられており、実施の形態１と同様の理由で、該被駆動片４５には、例えば合成樹脂製のキャップ４５ａが装着される。
【００３８】
ロック体４１は、前記のとおり底板３により上下方向に回動可能に支持されるが、その下面に付勢手段４６により上方への弾性付勢力が作用している。したがって、後述する操作片３３により押し下げられない自由状態では、図９（ａ）に示すようにロック体４１の上下方向の回動可能範囲における上方の位置にある。
【００３９】
付勢手段４６は、作用杆４７及び引張コイルばね４８等により構成される。作用杆４７は、例えば鋼製の丸棒の前端側を略直角に折り曲げて、その先端をロック体４１の下面に当接する作用端４７ａとなし、該丸棒の後端側を前端側と例えば６０°程度異なる方向に略直角に折り曲げてばね掛け端４７ｂとしたものであり、該作用杆４７の中間部分を底板補強体７の下部に形成した穴に挿通させることにより、該作用杆４７は前後方向軸まわりに回動可能に支持される。
【００４０】
そして、引張コイルばね４８の一方の端末４８ａを作用杆４７のばね掛け端４７ｂに掛け、他方の端末４８ｂを底板補強体７の適宜位置に掛けることにより、該弾性付勢力により、前記のとおりロック解除状態では、作用杆４７の作用端４７ａが上方に位置してロック体４１の下面を押し上げるように構成される。なお、このように作用端４７ａがロック体４１の下面を最も高く押し上げた位置においても、作用杆４７の前端側の折曲部は垂直とはならずに傾斜しているため、下方へ押し下げる力がロック体４１に作用すると、ロック体４１の前端部４３は、該付勢手段４６の弾性付勢力に抗して下方へ回動する。そして、該下方への作用力がなくなると、前記弾性付勢力により、ロック体４１は、前記上下方向の回動可能範囲における上方の位置に復帰する。
【００４１】
実施の形態１と同様に、シリンダー錠３１のキーの操作により上下動する操作片３３は、前記ロック体４１の被駆動片４５の上側に位置しているため、前記キー操作により操作片３３が下方に突出すると、該被駆動片５５が上側から押され、該操作片３３に連動してロック体４１の前端部４３が下方へ押し下げられる（図９（ｂ）参照。）。
【００４２】
このようにキー操作によりロック体４１が下方に回動して前端部４３が押し下げられた状態（シリンダー錠３１を施錠した状態）では、ラッチ爪１７，１８の先端部とロック体４１の切欠き４４，４４とが係合する。したがって、左側の開き戸１１のラッチ爪１７のラッチ解除規制部１７ｂの左側（ラッチ解除方向）には左側の切欠き４４の左側縁である当止部４４ａが位置し、右側の開き戸１２のラッチ爪１８のラッチ解除規制部１８ｂの右側（ラッチ解除方向）には右側の切欠き２４の右側縁である当止部４４ａが位置するため、該ラッチ解除規制部１７ｂ及び１８ｂが該当止部４４ａ，４４ａに当止される。よって、ラッチ爪１７，１８のラッチ解除方向への移動が規制される。このようにして、錠前の操作（錠前の例として示すシリンダー錠のキー操作）によるワンアクションで、左右の開き戸１１，１２を一括して施錠することができる。
【００４３】
また、キー操作によりシリンダー錠３１の操作片３３の下方への突出をなくした状態（シリンダー錠３１を解錠した状態）では、前記付勢手段４６の作用によりロック体４１が上方に回動して前端部４３が上方へ移動する（図９（ａ）参照。）。そうすると、前記切欠き４４，４４とラッチ爪１７，１８との係合が解かれるため、ラッチ爪１７，１８のラッチ解除方向への移動規制が解除される。したがって、錠前の操作（錠前の例として示すシリンダー錠のキー操作）によるワンアクションで、左右の開き戸１１，１２を一括して解錠することができる。
【００４４】
以上のような開き戸のロック装置の構成により、１個のシリンダー錠等の錠前の操作によるワンアクションにより左右の開き戸の施解錠を一括して行うことができる。また、ラッチ爪１７，１８のラッチ解除方向への移動の規制又は解除をロック体４１により直接行う構成であるため、該施解錠動作が安定かつ確実なものとなる。さらに、構成が非常に簡素であるため、コスト低減化を図ることができると共に該ロック装置の動作の長期にわたる信頼性を向上することができる。
【００４５】
前記付勢手段４６は、前記のような作用杆４７及び引張コイルばね４８等からなる構成に限定されるものではない。しかし、作用杆４７及び引張コイルばね４８等からなる構成によれば、簡素かつコンパクトな構成であるため、底板３内に該付勢手段を収容することができる。また、引張コイルばね４８底板３内の左右方向に延ばせるため、該引張コイルばね４８のばね定数の選択が容易となる。したがって、該付勢手段の弾性付勢力に抗して行うシリンダー錠３１の操作片３３を下方へ突出させるためのキー操作の操作性を阻害しないように、該引張コイルばね４８のばね定数を選択することができる。
【００４６】
以上の説明においては、ロック体２１及び４１の前端部２３及び４３に左右２個の切欠き２４，２４及び４４，４４を形成する場合を示したが、該ロック体２１及び４１は、ラッチ爪１７，１８の解除方向への移動を規制するためのものであり、左右の当止部２４ａ，２４ａ及び４４ａ，４４ａが形成されているものであれば、形状は限定されない。例えば、前記左右２個の切欠きを連結して１個の切欠きとしてもよい。
【００４７】
また、以上の説明においては、ラッチ爪１７，１８のラッチ解除方向が左右方向の外側であり、ロック体２１，４１の左側の切欠き２４，４４の左側縁である当止部２４ａ，４４ａ、及び、右側の切欠き２４，４４の右側縁である当止部２４ａ，４４ａによりラッチ爪１７，１８のラッチ解除方向への移動を規制する場合を示したが、ラッチ爪１７，１８のラッチ解除方向を左右方向の内側として、ロック体の形状を該ラッチ爪１７，１８間に左右の当止部を形成したものとしてもよい。
【００４８】
さらに、以上の説明においては、上下に延びるラッチ連結軸１５の上下端にラッチ爪１７，１７を取り付け、上下に延びるラッチ連結軸１６の上下端にラッチ爪１８，１８を取り付ける構成を示したが、下置きタイプのキャビネット１０１のように引手装置１３，１４が上部にある場合には、ラッチ爪１７，１８を開き戸１１，１２の上部にのみ設ける構成としてもよい。また、同様に、上置きタイプのキャビネット１０２のように引手装置１３，１４が下部にある場合には、ラッチ爪１７，１８を開き戸１１，１２の下部にのみ設ける構成としてもよい。なお、本発明に係る開き戸のロック装置は、必ずしも両開き戸にのみ用いる必要はなく、片開き戸に用いてもよい。
【図面の簡単な説明】
【００４９】
【図１】本発明の実施の形態１に係る開き戸のロック装置が用いられたキャビネットの正面図である。
【図２】ロック装置まわりの横断平面図であり、（ａ）はロック解除状態を、（ｂ）はロック状態を示している。
【図３】ロック装置まわりの縦断右側面図であり、（ａ）はロック解除状態を、（ｂ）はロック状態を示している。
【図４】ロック解除状態を示すロック装置まわりの斜視図である。
【図５】ロック状態を示すロック装置まわりの斜視図である。
【図６】引手装置とラッチ装置との連動を示す説明図であり、（ａ）は正面図、（ｂ）は斜視図である。
【図７】本発明の実施の形態２に係る開き戸のロック装置が用いられたキャビネットの正面図である。
【図８】ロック装置まわりの底面図である。
【図９】ロック装置まわりの縦断右側面図であり、（ａ）はロック解除状態を、（ｂ）はロック状態を示している。
【符号の説明】
【００５０】
１０１，１０２  キャビネット
１  キャビネット本体
２  天板
３  底板
４  上框（框部）
４ａ  係止部
５  下框（框部）
５ａ  係止部
６  天板補強体
６ａ  係合穴
６ｂ，６ｃ  開口部
７  底板補強体
７ａ  係合穴
７ｂ  開口部
１１，１２  開き戸
１１ａ，１２ａ  支持端
１１ｂ，１２ｂ  自由端
１３，１４  引手装置
１３ａ，１４ａ  引手
１４ｂ  回動軸
１４ｃ  駆動片
１５，１６  ラッチ連結軸
１６ａ  被駆動片
１７，１８  ラッチ爪
１７ａ，１８ａ  爪部
１７ｂ，１８ｂ  ラッチ解除規制部
１７ｃ，１８ｃ  突部
１９  ラッチ爪ケース
２１  ロック体
２２  係合突片
２３  前端部
２４  切欠き
２４ａ  当止部
２５  被駆動片
２５ａ  キャップ
３１  シリンダー錠（錠前）
３２  鍵穴
３３  操作片
４１  ロック体
４２  係合突片
４３  前端部
４４  切欠き
４４ａ  当止部
４５  被駆動片
４５ａ  キャップ
４６  付勢手段
４７  作用杆
４７ａ  作用端
４７ｂ  ばね掛け端
４８  引張コイルばね
４８ａ，４８ｂ  端末
【図１】
2006283492.tif 000003
【図２】
2006283492.tif 000004
【図３】
2006283492.tif 000005
【図４】
2006283492.tif 000006
【図５】
2006283492.tif 000007
【図６】
2006283492.tif 000008
【図７】
2006283492.tif 000009
【図８】
2006283492.tif 000010
【図９】
2006283492.tif 000011